(57)【要約】【課題】スイッチング素子を単一の温度閾値で保護する場合と比較して柔軟な温度保護が可能な電源装置及び温度閾値設定方法を提供する。【解決手段】スイッチング方式のＤＣ−ＤＣコンバータのＦＥＴ１３２（スイッチング素子）の温度の急激な傾き（時間変化）に関しては、ＦＥＴ１３２の温度閾値を８０℃と低くしてＦＥＴ１３２を保護する。また、ＦＥＴ１３２の温度閾値を、高負荷時には１００℃と低めに設定（変更）し、低負荷時には１２０℃と高めに設定（変更）してＦＥＴ１３２を保護する。【選択図】図１
2014018013.tif 000002
【特許請求の範囲】
【請求項１】
スイッチング素子を含む電源装置であって、前記スイッチング素子の温度上昇の時間変化率に応じて、前記スイッチング素子を保護する温度閾値を制御する、電源装置。
【請求項２】
前記時間変化率が所定値を超えるときの前記温度閾値を、前記時間変化率が所定値以下であるときの前記温度閾値よりも低くする、請求項１に記載の電源装置。
【請求項３】
スイッチング素子を含む電源装置であって、負荷電流値に応じて、前記スイッチング素子を保護する温度閾値を制御する、電源装置。
【請求項４】
前記負荷電流値が所定値を超えるときの前記温度閾値を、前記負荷電流値が所定値以下であるときの前記温度閾値よりも低くする、請求項３に記載の電源装置。
【請求項５】
スイッチング素子を含む電源装置であって、前記スイッチング素子の温度上昇の時間変化率及び負荷電流値の両方に応じて、前記スイッチング素子を保護する温度閾値を制御する、電源装置。
【請求項６】
スイッチング素子を含む電源装置であって、
前記スイッチング素子の温度を検出する温度検出手段と、
負荷電流値を検出する電流検出手段と、
前記スイッチング素子の温度上昇の時間変化率及び前記負荷電流値の両方に応じて、前記スイッチング素子を保護する温度閾値を制御する制御手段と、を備える、電源装置。
【請求項７】
前記時間変化率が所定値を超えるときは前記温度閾値を第１の温度とし、前記時間変化率が所定値以下のときは前記負荷電流値に基づいて前記温度閾値を前記第１の温度よりも高い温度に設定することを特徴とする請求項５又は６に記載の電源装置。
【請求項８】
前記時間変化率が所定値を超えるときの前記温度閾値を第１の温度とし、前記時間変化率が所定値以下かつ前記負荷電流値が所定値を超えるときの前記温度閾値を前記第１の温度よりも高い第２の温度とし、前記時間変化率が所定値以下かつ前記負荷電流値が所定値以下であるときの前記温度閾値を前記第２の温度よりも高い第３の温度とする、請求項５又は６に記載の電源装置。
【請求項９】
スイッチング方式のＤＣ−ＤＣコンバータを含み、前記スイッチング素子は、前記ＤＣ−ＤＣコンバータのスイッチング素子である、請求項１から８のいずれか一項に記載の電源装置。
【請求項１０】
前記負荷電流値が過電流閾値を上回った場合には前記温度閾値に関わらず前記スイッチング素子をオフする請求項１から９のいずれか一項に記載の電源装置。
【請求項１１】
スイッチング素子を保護する温度閾値の設定方法であって、前記スイッチング素子の温度上昇の時間変化率を検出し、検出した時間変化率が所定値を超えると前記温度閾値を第１の温度とし、検出した時間変化率が所定値以下であると前記温度閾値を前記第１の温度よりも高くする、温度閾値設定方法。
【請求項１２】
負荷電流を検出し、検出した時間変化率が所定値以下かつ検出した負荷電流値が所定値を超えると前記温度閾値を前記第１の温度よりも高い第２の温度とし、検出した時間変化率が所定値以下かつ検出した負荷電流値が所定値以下であると前記温度閾値を前記第２の温度よりも高い第３の温度とする、請求項１１に記載の温度閾値設定方法。
【発明の詳細な説明】
【技術分野】
【０００１】
本発明は、スイッチング素子を含む電源装置、及びスイッチング素子を保護する温度閾値を設定する温度閾値設定方法に関する。
【背景技術】
【０００２】
例えば電動工具のモータに電力供給をするインバータにおいて、電池電圧を昇圧又は降圧するスイッチング方式のＤＣ−ＤＣコンバータが従来から用いられている（下記特許文献１）。
【先行技術文献】
【特許文献】
【０００３】
【特許文献１】特開２０１２−０３０３２３号公報
【発明の概要】
【発明が解決しようとする課題】
【０００４】
スイッチング方式のＤＣ−ＤＣコンバータのスイッチング素子（例えばＦＥＴ）は過電流や熱に弱いため、スイッチング素子を保護する温度保護機能が必要となる。ここで、例えばスイッチング素子が一定温度以上になったときにスイッチング素子をオフする構成とすれば、スイッチング素子の過熱防止に有効と考えられる。しかし、スイッチング素子の温度変化率や負荷電流の大小に関わらず単一の温度閾値で保護する場合、状況次第では保護の過剰や不足が生じ、柔軟な温度保護ができないという問題がある。
【０００５】
本発明はこうした状況を認識してなされたものであり、その目的は、スイッチング素子を単一の温度閾値で保護する場合と比較して柔軟な温度保護が可能な電源装置及び温度閾値設定方法を提供することにある。
【課題を解決するための手段】
【０００６】
本発明のある態様は、電源装置である。この電源装置は、スイッチング素子を含む電源装置であって、前記スイッチング素子の温度上昇の時間変化率に応じて、前記スイッチング素子を保護する温度閾値を制御する。
【０００７】
前記時間変化率が所定値を超えるときの前記温度閾値を、前記時間変化率が所定値以下であるときの前記温度閾値よりも低くしてもよい。
【０００８】
本発明のもう一つの態様は、電源装置である。この電源装置は、スイッチング素子を含む電源装置であって、負荷電流値に応じて、前記スイッチング素子を保護する温度閾値を制御する。
【０００９】
前記負荷電流値が所定値を超えるときの前記温度閾値を、前記負荷電流値が所定値以下であるときの前記温度閾値よりも低くしてもよい。
【００１０】
本発明のもう一つの態様は、電源装置である。この電源装置は、スイッチング素子を含む電源装置であって、前記スイッチング素子の温度上昇の時間変化率及び負荷電流値の両方に応じて、前記スイッチング素子を保護する温度閾値を制御する。
【００１１】
本発明のもう一つの態様は、電源装置である。この電源装置は、
スイッチング素子を含む電源装置であって、
前記スイッチング素子の温度を検出する温度検出手段と、
負荷電流値を検出する電流検出手段と、
前記スイッチング素子の温度上昇の時間変化率及び前記負荷電流値の両方に応じて、前記スイッチング素子を保護する温度閾値を制御する制御手段と、を備える。
【００１２】
前記時間変化率が所定値を超えるときは前記温度閾値を第１の温度とし、前記時間変化率が所定値以下のときは前記負荷電流値に基づいて前記温度閾値を前記第１の温度よりも高い温度に設定してもよい。
【００１３】
前記時間変化率が所定値を超えるときの前記温度閾値を第１の温度とし、前記時間変化率が所定値以下かつ前記負荷電流値が所定値を超えるときの前記温度閾値を前記第１の温度よりも高い第２の温度とし、前記時間変化率が所定値以下かつ前記負荷電流値が所定値以下であるときの前記温度閾値を前記第２の温度よりも高い第３の温度としてもよい。
【００１４】
スイッチング方式のＤＣ−ＤＣコンバータを含み、前記スイッチング素子は、前記ＤＣ−ＤＣコンバータのスイッチング素子であってもよい。
【００１５】
前記負荷電流値が過電流閾値を上回った場合には前記温度閾値に関わらず前記スイッチング素子をオフしてもよい。
【００１６】
本発明のもう一つの態様は、温度閾値設定方法である。この方法は、スイッチング素子を保護する温度閾値の設定方法であって、前記スイッチング素子の温度上昇の時間変化率を検出し、検出した時間変化率が所定値を超えると前記温度閾値を第１の温度とし、検出した時間変化率が所定値以下であると前記温度閾値を前記第１の温度よりも高くする。
【００１７】
負荷電流を検出し、検出した時間変化率が所定値以下かつ検出した負荷電流値が所定値を超えると前記温度閾値を前記第１の温度よりも高い第２の温度とし、検出した時間変化率が所定値以下かつ検出した負荷電流値が所定値以下であると前記温度閾値を前記第２の温度よりも高い第３の温度としてもよい。
【００１８】
なお、以上の構成要素の任意の組合せ、本発明の表現をシステムなどの間で変換したものもまた、本発明の態様として有効である。
【発明の効果】
【００１９】
本発明によれば、スイッチング素子を単一の温度閾値で保護する場合と比較して柔軟な温度保護が可能となる。
【図面の簡単な説明】
【００２０】
【図１】本発明の実施の形態１に係る電源装置１の回路図。
【図２】電源装置１におけるＦＥＴ１３２の温度閾値変更の流れを示すフローチャート。
【図３】電源装置１におけるＦＥＴ１３２の温度上昇の傾きと温度閾値の一例を示すグラフ。
【図４】本発明の実施の形態２に係る電源装置１Ａの回路図。
【図５】本発明の実施の形態３に係る電源装置１Ｂの回路図。
【図６】本発明の実施の形態４に係る電源装置１Ｃの回路図。
【発明を実施するための形態】
【００２１】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２２】
図１は、本発明の実施の形態１に係る電源装置１の回路図である。電源装置１は、電池パック２から供給された直流電力を交流電力に変換して電気機器３のＡＣモータ３１に供給するインバータ装置である。電源装置１は、電池パック２と電気機器３との間に接続されている。ＡＣモータ３１には、電気機器３のトリガスイッチ３２が操作されると、電源装置１から交流電力が供給される。電源装置１は、電池パック２と電気機器３との間で着脱可能であるが、以下では、接続されているものとして説明する。
【００２３】
電源装置１は、電池電圧検出部１１と、電源部１２と、昇圧回路（変圧回路）１３と、整流・平滑回路１４と、昇圧電圧検出部１５と、インバータ回路１６と、電流検出抵抗１７と、ＰＷＭ信号出力部１８と、制御部としてのマイコン１９と、温度検出部２０と、を備えている。昇圧回路１３及び整流・平滑回路１４はスイッチング方式の絶縁型ＤＣ−ＤＣコンバータ（フライバックコンバータ）を成す。
【００２４】
電池電圧検出部１１は、電池電圧検出抵抗１１１,１１２を備えている。電池電圧検出抵抗１１１,１１２は、電池パック２のプラス側端子２１とマイナス側端子２２の間に直列に接続されており、電池パック２の電池電圧の、電池電圧検出抵抗１１１,１１２による分圧電圧をマイコン１９に出力する。なお、図１に示す電池パック２は、３．６Ｖ／セルのリチウムイオン二次電池セルが４本直列接続され、定格電圧１４．４Ｖを出力する。
【００２５】
電源部１２は、電池パック２のプラス側端子２１とマイコン１９との間に直列に接続された電源スイッチ１２１及び定電圧回路１２２を備えている。定電圧回路１２２は、三端子レギュレータ１２２ａと、発振防止用コンデンサ１２２ｂ,１２２ｃと、を備えており、ユーザにより電源スイッチ１２１がオンされると、電池パック２からの電圧を所定の直流電圧（例えば５Ｖ）に変換し、マイコン１９に駆動電力として供給する。なお、電源スイッチ１２１がオフされると、マイコン１９に駆動電力が供給されなくなるので、電源装置１全体がオフされることとなる。
【００２６】
昇圧回路１３は、トランス１３１と、スイッチング素子としてのＦＥＴ１３２と、を備えており、トランス１３１は、一次側巻線１３１ａと、二次側巻線１３１ｂと、を備えている。一次側巻線１３１ａは、電池パック２のプラス側端子２１とマイナス側端子２２の間に接続されており、トランス１３１の一次側巻線１３１ａとマイナス側端子２２の間には、更に、ＦＥＴ１３２が配置されている。ＦＥＴ１３２のゲートには、ＦＥＴ１３２をオン・オフさせるための第１のＰＷＭ信号がマイコン１９から入力され、ＦＥＴ１３２のオン・オフにより、電池パック２から供給された直流電力は交流電力に変換されてトランス１３１の一次側巻線１３１ａに出力（印加）される。一次側巻線１３１ａに入力された交流電力は、一次側巻線１３１ａと二次側巻線１３１ｂとの巻数比に応じて変圧されて二次側巻線１３１ｂから出力される。
【００２７】
整流・平滑回路１４は、整流ダイオード１４１,１４２と、平滑コンデンサ１４３と、を備えており、これらにより、トランス１３１により昇圧された交流電力を整流・平滑して直流電力として出力する。
【００２８】
昇圧電圧検出部１５は、互いに直列接続された抵抗１５１,１５２から構成されており、整流・平滑回路１４から出力された直流の昇圧電圧（平滑コンデンサ電圧、例えば１４０Ｖ）を検出し、昇圧電圧の、抵抗１５１,１５２による分圧電圧をマイコン１９に出力する。
【００２９】
インバータ回路１６は、４つのＦＥＴ１６１−１６４から構成されており、直列に接続されたＦＥＴ１６１及び１６２と、直列に接続されたＦＥＴ１６３及び１６４とが、平滑コンデンサ１４３に並列に接続されている。詳細には、ＦＥＴ１６１のドレインは、整流ダイオード１４１,１４２のカソードと接続され、ＦＥＴ１６１のソースは、ＦＥＴ１６２のドレインに接続されている。また、ＦＥＴ１６３のドレインは、整流ダイオード１４１,１４２のカソードと接続され、ＦＥＴ１６３のソースは、ＦＥＴ１６４のドレインに接続されている。
【００３０】
更に、ＦＥＴ１６１のソース及びＦＥＴ１６２のドレイン、ＦＥＴ１６３のソース及びＦＥＴ１６４のドレインは、それぞれ、出力端子１６５,１６６と接続されており、出力端子１６５,１６６は、ＡＣモータ３１に接続されている。ＦＥＴ１６１−１６４のゲートには、ＦＥＴ１６１−１６４をオン・オフさせるための第２のＰＷＭ信号がＰＷＭ信号出力部１８から入力され、ＦＥＴ１６１−１６４のオン・オフにより、整流・平滑回路１４から出力された直流電力は交流電力に変換されて電気機器３（ＡＣモータ３１）に出力される。
【００３１】
電流検出抵抗１７は、ＦＥＴ１６２のソース及びＦＥＴ１６４のソースと、電池パック２のマイナス側端子２２との間に接続されており、電流検出抵抗１７の高電圧側の端子はマイコン１９と接続されている。このような構成により、電流検出抵抗１７は、ＡＣモータ３１に流れる電流を検出し、電圧としてマイコン１９に出力する。
【００３２】
温度検出部２０は、ＦＥＴ１３２に近接ないし密接して配置されてＦＥＴ１３２の温度変化に応じて抵抗値が変化するサーミスタ２０ａと、サーミスタ２０ａに直列に接続された抵抗２０ｂと、を備えており、三端子レギュレータ１２２ａから出力された所定電圧の、サーミスタ２０ａと抵抗２０ｂとによる分圧電圧を温度信号としてマイコン１９に出力する。
【００３３】
マイコン１９は、昇圧電圧検出部１５によって検出された昇圧電圧に基づき、目標実効値（例えば、１４１Ｖ）を有する交流電力がトランス１３１の二次側から出力される（すなわちインバータ回路１６に１４１Ｖの直流電圧が印加される）ような第１のＰＷＭ信号をＦＥＴ１３２のゲートに出力する。また、マイコン１９は、目標実効値（例えば、１００Ｖ）を有する交流電力がＡＣモータ３１に出力されるような第２のＰＷＭ信号をＰＷＭ信号出力部１８を介してＦＥＴ１６１−１６４のゲートに出力する。本実施の形態では、マイコン１９は、ＦＥＴ１６１とＦＥＴ１６４（以降、第１のセット）と、ＦＥＴ１６２とＦＥＴ１６３（以降、第２のセット）とを、それぞれ１セットとして、第１のセットと第２のセットを所定のデューティ比（例えば１００％）で交互にオン・オフさせるような第２のＰＷＭ信号を出力する。
【００３４】
また、マイコン１９は、電池電圧検出部１１によって検出された電池電圧に基づき、電池パック２の過放電を判別する。具体的には、電池電圧検出部１１によって検出された電池電圧が所定の過放電電圧より小さい場合には、電池パック２に過放電が生じていると判断し、ＡＣモータ３１への出力を停止させるための第１のＰＷＭ信号及び第２のＰＷＭ信号を出力する（各ＦＥＴをオフする）。また、電池パック２は、その内部に保護ＩＣやマイコンを備え、自ら過放電を検出して過放電信号をマイコン１９に出力する機能を有しており、マイコン１９は、信号端子ＬＤから過放電信号を受信した場合にも、ＡＣモータ３１への出力を停止させるための第１のＰＷＭ信号及び第２のＰＷＭ信号を出力する（各ＦＥＴをオフする）。このような構成により、電池パック２の寿命が短くなることを防止することができる。
【００３５】
以下、ＦＥＴ１３２の温度保護について説明する。１つの方法として、単一の温度閾値を設定して当該温度閾値を超えたらＦＥＴ１３２をオフすることが考えられる。しかし、単一の温度閾値の場合、ＦＥＴの保護を重視して温度閾値を低くすると使用可能時間が短くなるし、使用可能時間を重視して温度閾値を高くすると急激な温度上昇に対する保護が不十分になる恐れがある。換言すれば、ＦＥＴの温度保護は、高負荷時の急激な温度上昇に対して保護をかけるものであり、低負荷時の緩やかな温度上昇では、ＦＥＴの温度定格内であれば問題ない。そこで、本実施の形態による電源装置１では、温度検出部２０で検出した温度の時間変化率（傾き）や電流検出抵抗１７によって検出された電流（負荷電流）によって温度閾値を変えて、高負荷時の温度保護を確実にしつつ低負荷時には使用時間を長くすることを目的とする。
【００３６】
図２は、本実施形態の電源装置１におけるＦＥＴ１３２の温度閾値変更（設定）の流れを示すフローチャートである。
【００３７】
電源装置１に電池パック２を装着し（Ｓ２０２）、電源スイッチ１２１をＯＮして（Ｓ２０３）、昇圧回路を動作し（Ｓ２０４）、インバータを起動する（Ｓ２０５）。マイコン１９は、電流検出抵抗１７の端子電圧によって負荷電流（すなわちＤＣ−ＤＣコンバータの出力電流）を監視し、負荷電流値が過電流閾値（例えば４Ａ）を超えると（Ｓ２０６のＹＥＳ）、直ちにＦＥＴ１３２及びＦＥＴ１６１−１６４をオフして電源装置１の動作を停止する（Ｓ２１２）。
【００３８】
マイコン１９は、サーミスタ２０ａと抵抗２０ｂとによる分圧電圧に基づいてＦＥＴ１３２の温度（Ｔ）及びその時間変化率（ｄＴ／ｄｔ）を監視しており、負荷電流値が過電流閾値以下（Ｓ２０６のＮＯ）、かつＦＥＴ１３２の温度の時間変化率（傾き）が所定値Ｘ（例えば１℃／秒）を超えると（Ｓ２０７のＹＥＳ）、ＦＥＴ１３２を保護する温度閾値を８０℃（第１の温度の例示）とし、ＦＥＴ１３２の温度が８０℃を超えると（Ｓ２１０のＹＥＳ）、ＦＥＴ１３２及びＦＥＴ１６１−１６４をオフして電源装置１の動作を停止する（Ｓ２１２）。
【００３９】
マイコン１９は、ＦＥＴ１３２の温度の時間変化率が所定値Ｘ以下（Ｓ２０７のＮＯ）、かつ負荷電流値が所定値、例えば２Ａを超えると（Ｓ２０８のＹＥＳ）、ＦＥＴ１３２を保護する温度閾値を１００℃（第２の温度の例示）とし、ＦＥＴ１３２の温度が１００℃を超えると（Ｓ２０９のＹＥＳ）、ＦＥＴ１３２及びＦＥＴ１６１−１６４をオフして電源装置１の動作を停止する（Ｓ２１２）。
【００４０】
マイコン１９は、ＦＥＴ１３２の温度の時間変化率が所定値Ｘ以下（Ｓ２０７のＮＯ）、かつ負荷電流値が所定値、例えば２Ａ以下であると（Ｓ２０８のＮＯ）、ＦＥＴ１３２を保護する温度閾値を１２０℃（第３の温度の例示）とし、ＦＥＴ１３２の温度が１２０℃を超えると（Ｓ２１１のＹＥＳ）、ＦＥＴ１３２及びＦＥＴ１６１−１６４をオフして電源装置１の動作を停止する（Ｓ２１２）。
【００４１】
図３は、本実施形態の電源装置１におけるＦＥＴ１３２の温度上昇の傾きと温度閾値の一例を示すグラフである。温度の急激な傾き（時間変化）に関しては、ＦＥＴ１３２の温度閾値を８０℃と低くしてＦＥＴ１３２を保護する。また、ＦＥＴ１３２の温度閾値を、高負荷時には１００℃と低めに設定（変更）し、低負荷時には１２０℃と高めに設定（変更）してＦＥＴ１３２を保護する。
【００４２】
本実施の形態によれば、下記の効果を奏することができる。
【００４３】
(1) ＦＥＴ１３２の温度上昇の時間変化率（傾き）の大小に応じてＦＥＴ１３２の温度閾値を変更するため、単一の温度閾値を用いる場合と比較して柔軟な温度保護が可能となる。具体的には、急激な温度上昇に対しては温度閾値を低くしてＦＥＴの保護を重視する一方、緩やかな温度上昇に対しては温度閾値を高くすることで過剰保護を防止し、電源装置１の使用可能時間を長くすることができる。
【００４４】
(2) 負荷電流の大小に応じてＦＥＴ１３２の温度閾値を変えるため、単一の温度閾値を用いる場合と比較して柔軟な温度保護が可能となる。具体的には、高負荷時には温度閾値を低くしてＦＥＴの保護を重視する一方、低負荷時には温度閾値を高くすることで過剰保護を防止し、電源装置１の使用可能時間を長くすることができる。
【００４５】
図４は、本発明の実施の形態２に係る電源装置１Ａの回路図である。電源装置１Ａは、図１に示した実施の形態１のものと比較して、インバータ回路１６が無くなって直流出力となった点で相違し、その他の点で一致する。この場合、インバータ回路は電気機器３側に備える。本実施の形態も、実施の形態１と同様に柔軟な温度保護が可能となる。なお、電気機器３を直流電源（電池等）で駆動する電動工具とすればインバータ回路は不要となる。例えば、定格電圧１４．４Ｖの直流電圧を３６Ｖの直流電圧に昇圧すれば直流３６Ｖの電動工具、例えばヘッジトリマを、ＦＥＴ１３２を保護しながら駆動することができる。
【００４６】
図５は、本発明の実施の形態３に係る電源装置１Ｂの回路図である。電源装置１Ｂは、図４に示した実施の形態２のものと比較して、電源供給元の電池パック２が交流電源２Ａ（例えば商用電源）と全波整流・平滑回路２Ｂに変わった点と、整流・平滑回路１４にチョークコイル１４４が追加されてＤＣ−ＤＣコンバータがフライバックコンバータからフォワードコンバータに変わった（トランス１３１の巻き方は逆になる）点で相違し、その他の点で一致する。全波整流・平滑回路２Ｂは、交流電源２Ａからの交流電圧をダイオードブリッジ２３により全波整流し、平滑コンデンサ２４で直流に変換する。チョークコイル１４４は、整流ダイオード１４１,１４２の相互接続点と、平滑コンデンサ１４３との間に設けられる。本実施の形態も、実施の形態２と同様に柔軟な温度保護が可能となる。
【００４７】
図６は、本発明の実施の形態４に係る電源装置１Ｃの回路図である。電源装置１Ｃは、図４に示した実施の形態２のものと比較して、昇圧回路１３及び整流・平滑回路１４がスイッチング方式のＤＣ−ＤＣコンバータ（非絶縁型）１３Ａに変わった点で相違し、その他の点で一致する。ＤＣ−ＤＣコンバータ１３Ａは、降圧型であり、ＦＥＴ１３２をスイッチングすることでコイル１３５とコンデンサ１３６に電池パック２の電圧を間欠的に印加し（コイル１３５の誘導電流はダイオード１３７経由で流れる）、電池パック２の電圧を所定の電圧値に降圧して電気機器３に印加する。本実施の形態も、実施の形態２と同様に柔軟な温度保護が可能となる。なお、降圧型に限らず、昇圧型としても同様の効果が得られる。
【００４８】
以上、実施の形態を例に本発明を説明したが、実施の形態の各構成要素や各処理プロセスには請求項に記載の範囲で種々の変形が可能であることは当業者に理解されるところである。
【００４９】
ＦＥＴ１３２の温度上昇の時間変化率（傾き）及び負荷電流値の各々に関し、温度閾値変更の境界は、一点に限らず二点以上の任意の数としてもよい。温度閾値変更の境界を増やすことでより柔軟な温度保護が可能となる。
【符号の説明】
【００５０】
１  電源装置
２  電池パック
３  電気機器
１３  昇圧回路
１４  整流・平滑回路
１５  昇圧電圧検出部
１６  インバータ回路
１９  マイコン
【図１】
2014018013.tif 000003
【図２】
2014018013.tif 000004
【図３】
2014018013.tif 000005
【図４】
2014018013.tif 000006
【図５】
2014018013.tif 000007
【図６】
2014018013.tif 000008